(57)【要約】本開示のある態様は、ロング・ターム・イボリューション（ＬＴＥ）無線システムのセル・サイトのためのセル・サイト・モデム・アプリケーション・メッセージ・インタフェース（ＣＳＭ  ＡＰＩ）を実現するための技術に関連する。
2013546252.tif 000002
【特許請求の範囲】
【請求項１】
通信のための方法であって、
装置の下部レイヤと前記装置の上部レイヤとの間で複数のメッセージを交換することに基づいて、前記下部レイヤと、前記上部レイヤとをインタフェースすることと、
前記装置と通信している複数の装置のうちの少なくとも２つの装置に関連する情報を、前記下部レイヤと前記上部レイヤとの間で送信されるべき複数のメッセージのうちの１つのメッセージにグループ化することと、
前記装置と、前記複数の装置のうちの１または複数の装置との間の接続を設定することに関連する前記複数のメッセージのうちの１または複数のメッセージ内に、１または複数の接続識別子を含めることと、
を備える方法。
【請求項２】
前記１または複数の接続識別子のおのおのが、前記複数の装置のうちのユニークな装置の接続に関連付けられる、請求項１に記載の方法。
【請求項３】
前記インタフェースすることは、前記装置と、前記複数の装置のうちの少なくとも１つの装置との間の通信に応じて、前記下部レイヤと前記上部レイヤとの間で、前記複数のメッセージのうちの１または複数のアクノレッジメント／否定的アクノレッジメント（ＡＣＫ／ＮＡＣＫ）メッセージを転送することを備える、請求項１に記載の方法。
【請求項４】
前記インタフェースすることは、前記下部レイヤと前記上部レイヤとにおける機能の重複を低減することを備える、請求項１に記載の方法。
【請求項５】
前記インタフェースすることは、前記複数のメッセージのうちのメッセージに関連付けられた情報が、前記下部レイヤと前記上部レイヤとの間で送信された最後の時から変わっていない場合、前記複数のメッセージのうちのメッセージを再送信することをスキップすることを備える、請求項１に記載の方法。
【請求項６】
前記下部レイヤと前記上部レイヤとの間でメッセージを交換することは、インターネット・プロトコル（ＩＰ）にしたがうメッセージング・プロトコルに基づく、請求項１に記載の方法。
【請求項７】
前記インタフェースすることは、前記複数のメッセージのうちのメッセージで情報を転送するために、前記下部レイヤおよび前記上部レイヤのうち最短の通信経路を選択することを備える、請求項１に記載の方法。
【請求項８】
前記１または複数の接続識別子の値の範囲は、前記複数の装置に関連付けられたデータベース内のエントリ数を低減するために選択され、
前記方法はさらに、
前記１または複数の接続識別子のうちの１つの接続識別子と、ラジオ・ネットワーク・テンポラリ識別子（ＲＮＴＩ）との間の１対１のマッピングを確立することを備え、
この接続識別子とＲＮＴＩとは、前記複数のメッセージのうちの１つのメッセージに格納される、請求項１に記載の方法。
【請求項９】
前記インタフェースすることは、
前記装置に関連付けられた１または複数のシステム・パラメータと、前記装置のセルに関連付けられた１または複数のセル・レベル・パラメータとを設定することと、
前記設定されたシステム・パラメータおよびセル・レベル・パラメータを、前記装置のダウンリンク（ＤＬ）信号、ＤＬ共通チャネル、アップリンク（ＵＬ）信号、またはＵＬ制御チャネルのうちの少なくとも１つに関連する前記複数のメッセージのうちの少なくとも１つのメッセージに含めることと
をさらに備える、請求項１に記載の方法。
【請求項１０】
前記インタフェースすることは、前記装置と前記複数の装置のうちの少なくとも１つの装置との間の通信のためにハイブリッド自動反復要求（ＨＡＲＱ）手順を実行することを備える、請求項１に記載の方法。
【請求項１１】
前記下部レイヤは、前記装置の物理レイヤ（ＰＨＹ）を備え、前記上部レイヤは、前記装置の媒体アクセス制御（ＭＡＣ）レイヤを備える、請求項１に記載の方法。
【請求項１２】
無線通信のための装置であって、
前記装置の下部レイヤと前記装置の上部レイヤとの間で複数のメッセージを交換することに基づいて、前記下部レイヤと、前記上部レイヤとをインタフェースするように構成されたインタフェース回路を備え、
前記インタフェース回路は、前記装置と通信している複数の装置のうちの少なくとも２つの装置に関連する情報を、前記下部レイヤと前記上部レイヤとの間で送信されるべき前記複数のメッセージのうちの１つのメッセージにグループ化するように構成され、
前記インタフェース回路はさらに、前記装置と、前記複数の装置のうちの１または複数の装置と間の接続を設定することに関連する前記複数のメッセージのうちの１または複数のメッセージ内に、１または複数の接続識別子を含めるように構成される、装置。
【請求項１３】
前記１または複数の接続識別子のおのおのが、前記複数の装置のうちのユニークな装置の接続に関連付けられる、請求項１２に記載の装置。
【請求項１４】
前記インタフェース回路はまた、前記装置と、前記複数の装置のうちの少なくとも１つの装置との間の通信に応じて、前記下部レイヤと前記上部レイヤとの間で、前記複数のメッセージのうちの１または複数のアクノレッジメント／否定的アクノレッジメント（ＡＣＫ／ＮＡＣＫ）メッセージを転送するように構成される、請求項１２に記載の装置。
【請求項１５】
前記インタフェース回路はまた、前記下部レイヤと前記上部レイヤとにおける機能の重複を低減するように構成される、請求項１２に記載の装置。
【請求項１６】
前記インタフェース回路はまた、前記複数のメッセージのうちのメッセージに関連付けられた情報が、前記下部レイヤと前記上部レイヤとの間で送信された最後の時から変わっていない場合、前記複数のメッセージのうちのメッセージを再送信することをスキップするように構成される、請求項１２に記載の装置。
【請求項１７】
前記下部レイヤと前記上部レイヤとの間でメッセージを交換することは、インターネット・プロトコル（ＩＰ）にしたがうメッセージング・プロトコルに基づく、請求項１２に記載の装置。
【請求項１８】
前記インタフェース回路はまた、前記複数のメッセージのうちのメッセージで情報を転送するために、前記下部レイヤおよび前記上部レイヤのうち最短の通信経路を選択するように構成される、請求項１２に記載の装置。
【請求項１９】
前記１または複数の接続識別子の値の範囲は、前記複数の装置に関連付けられたデータベース内のエントリ数を低減するために選択され、
前記装置はさらに、
前記１または複数の接続識別子のうちの１つの接続識別子と、ラジオ・ネットワーク・テンポラリ識別子（ＲＮＴＩ）との間の１対１のマッピングを確立するように構成された回路を備え、
この接続識別子とＲＮＴＩとは、前記複数のメッセージのうちの１つのメッセージに格納される、請求項１２に記載の装置。
【請求項２０】
前記インタフェース回路はまた、
前記装置に関連付けられた１または複数のシステム・パラメータと、前記装置のセルに関連付けられた１または複数のセル・レベル・パラメータとを設定し、
前記設定されたシステム・パラメータおよびセル・レベル・パラメータを、前記装置のダウンリンク（ＤＬ）信号、ＤＬ共通チャネル、アップリンク（ＵＬ）信号、またはＵＬ制御チャネルのうちの少なくとも１つに関連する前記複数のメッセージのうちの少なくとも１つのメッセージに含める、
ように構成された、請求項１２に記載の装置。
【請求項２１】
前記インタフェース回路はまた、前記装置と前記複数の装置との間の通信のためにハイブリッド自動反復要求（ＨＡＲＱ）手順を実行するように構成された、請求項１２に記載の装置。
【請求項２２】
前記下部レイヤは、前記装置の物理レイヤ（ＰＨＹ）を備え、前記上部レイヤは、前記装置の媒体アクセス制御（ＭＡＣ）レイヤを備える、請求項１２に記載の装置。
【請求項２３】
無線通信のための装置であって、
前記装置の下部レイヤと前記装置の上部レイヤとの間で複数のメッセージを交換することに基づいて、前記下部レイヤと、前記上部レイヤとをインタフェースする手段と、
前記装置と通信している複数の装置のうちの少なくとも２つの装置に関連する情報を、前記下部レイヤと前記上部レイヤとの間で送信されるべき複数のメッセージのうちの１つのメッセージにグループ化する手段と、
前記装置と、前記複数の装置のうちの１または複数の装置との間の接続を設定することに関連する前記複数のメッセージのうちの１または複数のメッセージ内に、１または複数の接続識別子を含める手段と、
を備える装置。
【請求項２４】
前記１または複数の接続識別子のおのおのが、前記複数の装置のうちのユニークな装置の接続に関連付けられる、請求項２３に記載の装置。
【請求項２５】
前記インタフェースする手段は、前記装置と、前記複数の装置のうちの少なくとも１つの装置との間の通信に応じて、前記下部レイヤと前記上部レイヤとの間で、前記複数のメッセージのうちの１または複数のアクノレッジメント／否定的アクノレッジメント（ＡＣＫ／ＮＡＣＫ）メッセージを転送する手段を備える、請求項２３に記載の装置。
【請求項２６】
前記インタフェースする手段は、前記下部レイヤと前記上部レイヤとにおける機能の重複を低減する手段を備える、請求項２３に記載の装置。
【請求項２７】
前記インタフェースする手段は、前記複数のメッセージのうちのメッセージに関連付けられた情報が、前記下部レイヤと前記上部レイヤとの間で送信された最後の時から変わっていない場合、前記複数のメッセージのうちのメッセージを再送信することをスキップする手段を備える、請求項２３に記載の装置。
【請求項２８】
前記下部レイヤと前記上部レイヤとの間でメッセージを交換することは、インターネット・プロトコル（ＩＰ）にしたがうメッセージング・プロトコルに基づく、請求項２３に記載の装置。
【請求項２９】
前記インタフェースする手段は、前記複数のメッセージのうちのメッセージで情報を転送するために、前記下部レイヤおよび前記上部レイヤのうち最短の通信経路を選択する手段を備える、請求項２３に記載の装置。
【請求項３０】
前記１または複数の接続識別子の値の範囲は、前記複数の装置に関連付けられたデータベース内のエントリ数を低減するために選択され、
前記装置はさらに、
前記１または複数の接続識別子のうちの１つの接続識別子と、ラジオ・ネットワーク・テンポラリ識別子（ＲＮＴＩ）との間の１対１のマッピングを確立する手段を備え、
この接続識別子とＲＮＴＩとは、前記複数のメッセージのうちの１つのメッセージに格納される、請求項２３に記載の装置。
【請求項３１】
前記インタフェースする手段は、
前記装置に関連付けられた１または複数のシステム・パラメータと、前記装置のセルに関連付けられた１または複数のセル・レベル・パラメータとを設定する手段と、
前記設定されたシステム・パラメータおよびセル・レベル・パラメータを、前記装置のダウンリンク（ＤＬ）信号、ＤＬ共通チャネル、アップリンク（ＵＬ）信号、またはＵＬ制御チャネルのうちの少なくとも１つに関連する前記複数のメッセージのうちの少なくとも１つのメッセージに含める手段と
を備える、請求項２３に記載の装置。
【請求項３２】
前記インタフェースする手段は、前記装置と前記複数の装置との間の通信のためにハイブリッド自動反復要求（ＨＡＲＱ）手順を実行する手段を備える、請求項２３に記載の装置。
【請求項３３】
前記下部レイヤは、前記装置の物理レイヤ（ＰＨＹ）を備え、前記上部レイヤは、前記装置の媒体アクセス制御（ＭＡＣ）レイヤを備える、請求項２３に記載の装置。
【請求項３４】
コンピュータ・プログラム製品であって、
装置の下部レイヤと前記装置の上部レイヤとの間で複数のメッセージを交換することに基づいて、前記下部レイヤと、前記上部レイヤとをインタフェースすることと、
前記装置と通信している複数の装置のうちの少なくとも２つの装置に関連する情報を、前記下部レイヤと前記上部レイヤとの間で送信されるべき複数のメッセージのうちの１つのメッセージにグループ化することと、
前記装置と、前記複数の装置のうちの１または複数の装置との間の接続を設定することに関連する前記複数のメッセージのうちの１または複数のメッセージ内に、１または複数の接続識別子を含めることと、
のためのコードを備えるコンピュータ読取可能な媒体を備える、コンピュータ・プログラム製品。
【請求項３５】
前記１または複数の接続識別子のおのおのが、前記複数の装置のうちのユニークな装置の接続に関連付けられる、請求項３４に記載のコンピュータ・プログラム製品。
【請求項３６】
前記コンピュータ読取可能な媒体はさらに、前記装置と、前記複数の装置のうちの少なくとも１つの装置との間の通信に応じて、前記下部レイヤと前記上部レイヤとの間で、前記複数のメッセージのうちの１または複数のアクノレッジメント／否定的アクノレッジメント（ＡＣＫ／ＮＡＣＫ）メッセージを転送するためのコードを備える、請求項３４に記載のコンピュータ・プログラム製品。
【請求項３７】
前記コンピュータ読取可能な媒体はさらに、前記下部レイヤと前記上部レイヤとにおける機能の重複を低減するためのコードを備える、請求項３４に記載のコンピュータ・プログラム製品。
【請求項３８】
前記コンピュータ読取可能な媒体はさらに、前記複数のメッセージのうちのメッセージに関連付けられた情報が、前記下部レイヤと前記上部レイヤとの間で送信された最後の時から変わっていない場合、前記複数のメッセージのうちのメッセージを再送信することをスキップするためのコードを備える、請求項３４に記載のコンピュータ・プログラム製品。
【請求項３９】
前記下部レイヤと前記上部レイヤとの間でメッセージを交換することは、インターネット・プロトコル（ＩＰ）にしたがうメッセージング・プロトコルに基づく、請求項３４に記載のコンピュータ・プログラム製品。
【請求項４０】
前記コンピュータ読取可能な媒体はさらに、前記複数のメッセージのうちのメッセージで情報を転送するために、前記下部レイヤおよび前記上部レイヤのうち最短の通信経路を選択するためのコードを備える、請求項３４に記載のコンピュータ・プログラム製品。
【請求項４１】
前記１または複数の接続識別子の値の範囲は、前記複数の装置に関連付けられたデータベース内のエントリ数を低減するために選択され、
前記コンピュータ読取可能な媒体はさらに、
前記１または複数の接続識別子のうちの１つの接続識別子と、ラジオ・ネットワーク・テンポラリ識別子（ＲＮＴＩ）との間の１対１のマッピングを確立するのためのコードを備え、
この接続識別子とＲＮＴＩとは、前記複数のメッセージのうちの１つのメッセージに格納される、請求項３４に記載のコンピュータ・プログラム製品。
【請求項４２】
前記コンピュータ読取可能な媒体はさらに、
前記装置に関連付けられた１または複数のシステム・パラメータと、前記装置のセルに関連付けられた１または複数のセル・レベル・パラメータとを設定することと、
前記設定されたシステム・パラメータおよびセル・レベル・パラメータを、前記装置のダウンリンク（ＤＬ）信号、ＤＬ共通チャネル、アップリンク（ＵＬ）信号、またはＵＬ制御チャネルのうちの少なくとも１つに関連する前記複数のメッセージのうちの少なくとも１つのメッセージに含めることと
のためのコードを備える、請求項３４に記載のコンピュータ・プログラム製品。
【請求項４３】
前記コンピュータ読取可能な媒体はさらに、前記装置と前記複数の装置との間の通信のためにハイブリッド自動反復要求（ＨＡＲＱ）手順を実行するためのコードを備える、請求項３４に記載のコンピュータ・プログラム製品。
【請求項４４】
前記下部レイヤは、前記装置の物理レイヤ（ＰＨＹ）を備え、前記上部レイヤは、前記装置の媒体アクセス制御（ＭＡＣ）レイヤを備える、請求項３４に記載のコンピュータ・プログラム製品。
【請求項４５】
通信のための装置であって、
少なくとも１つのプロセッサと、
前記少なくとも１つのプロセッサに接続されたメモリとを備え、
前記少なくとも１つのプロセッサは、
前記装置の下部レイヤと前記装置の上部レイヤとの間で複数のメッセージを交換することに基づいて、前記下部レイヤと、前記上部レイヤとをインタフェースし、
前記装置と通信している複数の装置のうちの少なくとも２つの装置に関連する情報を、前記下部レイヤと前記上部レイヤとの間で送信されるべき複数のメッセージのうちの１つのメッセージにグループ化し、
前記装置と、前記複数の装置のうちの１または複数との間の接続を設定することに関連する前記複数のメッセージのうちの１または複数のメッセージ内に、１または複数の接続識別子を含める
ように構成された、装置。
【請求項４６】
前記１または複数の接続識別子のおのおのが、前記複数の装置のうちのユニークな装置の接続に関連付けられる、請求項４５に記載の装置。
【請求項４７】
前記少なくとも１つのプロセッサはまた、前記装置と、前記複数の装置のうちの少なくとも１つの装置との間の通信に応じて、前記下部レイヤと前記上部レイヤとの間で、前記複数のメッセージのうちの１または複数のアクノレッジメント／否定的アクノレッジメント（ＡＣＫ／ＮＡＣＫ）メッセージを転送するように構成される、請求項４５に記載の装置。
【請求項４８】
前記少なくとも１つのプロセッサはまた、前記下部レイヤと前記上部レイヤとにおける機能の重複を低減するように構成される、請求項４５に記載の装置。
【請求項４９】
前記少なくとも１つのプロセッサはまた、前記複数のメッセージのうちのメッセージに関連付けられた情報が、前記下部レイヤと前記上部レイヤとの間で送信された最後の時から変わっていない場合、前記複数のメッセージのうちのメッセージを再送信することをスキップするように構成される、請求項４５に記載の装置。
【請求項５０】
前記下部レイヤと前記上部レイヤとの間でメッセージを交換することは、インターネット・プロトコル（ＩＰ）にしたがうメッセージング・プロトコルに基づく、請求項４５に記載の装置。
【請求項５１】
前記少なくとも１つのプロセッサはまた、前記複数のメッセージのうちのメッセージで情報を転送するために、前記下部レイヤおよび前記上部レイヤのうち最短の通信経路を選択するように構成された、請求項４５に記載の装置。
【請求項５２】
前記１または複数の接続識別子の値の範囲は、前記複数の装置に関連付けられたデータベース内のエントリ数を低減するために選択され、
前記少なくとも１つのプロセッサはまた、前記１または複数の接続識別子のうちの１つの接続識別子と、ラジオ・ネットワーク・テンポラリ識別子（ＲＮＴＩ）との間の１対１のマッピングを確立するように構成され、
この接続識別子とＲＮＴＩとは、前記複数のメッセージのうちの１つのメッセージに格納される、請求項４５に記載の装置。
【請求項５３】
前記少なくとも１つのプロセッサはまた、
前記装置に関連付けられた１または複数のシステム・パラメータと、前記装置のセルに関連付けられた１または複数のセル・レベル・パラメータとを設定し、
前記設定されたシステム・パラメータおよびセル・レベル・パラメータを、前記装置のダウンリンク（ＤＬ）信号、ＤＬ共通チャネル、アップリンク（ＵＬ）信号、またはＵＬ制御チャネルのうちの少なくとも１つに関連する前記複数のメッセージのうちの少なくとも１つのメッセージに含める
ように構成された、請求項４５に記載の装置。
【請求項５４】
前記少なくとも１つのプロセッサはまた、前記装置と前記複数の装置のうちの少なくとも１つの装置との間の通信のためにハイブリッド自動反復要求（ＨＡＲＱ）手順を実行するように構成された、請求項４５に記載の装置。
【請求項５５】
前記下部レイヤは、前記装置の物理レイヤ（ＰＨＹ）を備え、前記上部レイヤは、前記装置の媒体アクセス制御（ＭＡＣ）レイヤを備える、請求項４５に記載の装置。
【発明の詳細な説明】
【技術分野】
【０００１】
本開示のある態様は、一般に、無線通信に関し、さらに詳しくは、ロング・ターム・イボリューション（ＬＴＥ）無線システムのためのセル・サイト・モデム・アプリケーション・メッセージ・インタフェース（ＣＳＭ  ＡＰＩ）の実施に関する。
【背景技術】
【０００２】
無線通信システムは、例えば、音声、データ等のようなさまざまなタイプの通信コンテンツを提供するために広く開発された。これらのシステムは、（例えば、帯域幅、送信電力等のような）利用可能なシステム・リソースを共有することにより、複数のユーザとの通信をサポートすることができる多元接続システムでありうる。このような多元接続システムの例は、符号分割多元接続（ＣＤＭＡ）システム、時分割多元接続（ＴＤＭＡ）システム、周波数分割多元接続（ＦＤＭＡ）システム、第３世代パートナシップ計画（３ＧＰＰ）ロング・ターム・イボリューション（ＬＴＥ）システム、および直交周波数分割多元接続（ＯＦＤＭＡ）システムを含む。
【０００３】
一般に、無線多元接続通信システムは、複数の無線端末のための通信を同時にサポートすることができる。端末はおのおのの、順方向リンクおよび逆方向リンクによる送信を介して、１または複数の基地局と通信する。順方向リンク（すなわちダウンリンク）は、基地局から端末への通信リンクを称し、逆方向リンク（すなわちアップリンク）は、端末から基地局への通信リンクを称する。順方向通信リンクおよび逆方向通信リンクは、単一入力単一出力システム、複数入力単一出力システム、あるいは複数入力複数出力（ＭＩＭＯ）システムによって確立されうる。
【０００４】
無線多元通信システムは、時分割デュプレクス（ＴＤＤ）システムおよび周波数デュプレクス（ＦＤＤ）システムをサポートしうる。ＴＤＤシステムでは、相互原理によって、逆方向リンク・チャネルから順方向リンク・チャネルを推定できるように、順方向リンク送信および逆方向リンク送信が、同じ周波数領域にある。これによって、アクセス・ポイントにおいて複数のアンテナが利用可能である場合、アクセス・ポイントは、順方向リンクで送信ビーム・フォーミング・ゲインを抽出できるようになる。
【０００５】
３ＧＰＰ  ＬＴＥ無線通信システムでは、セル・サイト・モデム・アプリケーション・メッセージ・インタフェース（ＣＳＭ  ＡＰＩ）は、ＬＴＥ基地局（セル・サイト）の物理レイヤ（ＰＨＹ）と媒体アクセス制御（ＭＡＣ）レイヤとの間のメッセージ・インタフェースおよび動作シナリオを定義しうる。ＣＳＭ  ＡＰＩは、低レベルのハードウェア／ファームウェア詳細からのアブストラクションのレイヤを提供し、セル・サイト・モデム（ＣＳＭ）とソフトウェアとの間の通信を可能にし、ＭＡＣレイヤ機能および上部レイヤ機能を実現する。
【発明の概要】
【０００６】
本開示のある態様は、通信のための方法を提供する。この方法は一般に、装置の下部レイヤと装置の上部レイヤとの間で複数のメッセージを交換することに基づいて、下部レイヤと、上部レイヤとをインタフェースすることと、この装置と通信している複数の装置のうちの少なくとも２つの装置に関連する情報を、下部レイヤと上部レイヤとの間で送信されるべき複数のメッセージのうちの１つのメッセージにグループ化することと、この装置と、複数の装置のうちの１または複数の装置との間の接続を設定することに関連する複数のメッセージのうちの１または複数のメッセージ内に、１または複数の接続識別子を含めることと、を含む。
【０００７】
本開示のある態様は、無線通信のための装置を提供する。この装置は一般に、装置の下部レイヤと装置の上部レイヤとの間で複数のメッセージを交換することに基づいて、下部レイヤと、上部レイヤとをインタフェースするように構成されたインタフェース回路を含み、ここで、インタフェース回路は、この装置と通信している複数の装置のうちの少なくとも２つの装置に関連する情報を、下部レイヤと上部レイヤとの間で送信されるべき複数のメッセージのうちの１つのメッセージにグループ化するように構成され、インタフェース回路はさらに、この装置と、複数の装置のうちの１または複数の装置との間の接続を設定することに関連する複数のメッセージのうちの１または複数のメッセージ内に、１または複数の接続識別子を含めるように構成される。を含む。
【０００８】
本開示のある態様は、無線通信のための装置を提供する。この装置は一般に、装置の下部レイヤと装置の上部レイヤとの間で複数のメッセージを交換することに基づいて、下部レイヤと、上部レイヤとをインタフェースする手段と、装置と通信している複数の装置のうちの少なくとも２つの装置に関連する情報を、下部レイヤと上部レイヤとの間で送信されるべき複数のメッセージのうちの１つのメッセージにグループ化する手段と、この装置と、複数の装置のうちの１または複数の装置との間の接続を設定することに関連する複数のメッセージのうちの１または複数のメッセージ内に、１または複数の接続識別子を含める手段と、を含む。
【０００９】
本開示のある実施形態は、無線通信のためのコンピュータ・プログラム製品を提供する。このコンピュータ・プログラム製品は、一般に、装置の下部レイヤと装置の上部レイヤとの間で複数のメッセージを交換することに基づいて、下部レイヤと、上部レイヤとをインタフェースすることと、装置と通信している複数の装置のうちの少なくとも２つの装置に関連する情報を、下部レイヤと上部レイヤとの間で送信されるべき複数のメッセージのうちの１つのメッセージにグループ化することと、この装置と、複数の装置のうちの１または複数の装置との間の接続を設定することに関連する複数のメッセージのうちの１または複数のメッセージ内に、１または複数の接続識別子を含めることと、のためのコードを備えるコンピュータ読取可能な媒体を含む。
【００１０】
本開示のある態様は、無線通信のための装置を提供する。この装置は、少なくとも１つのプロセッサと、少なくとも１つのプロセッサに接続されたメモリとを備え、少なくとも１つのプロセッサは、下部レイヤと上部レイヤとの間で複数のメッセージを交換することに基づいて、装置の下部レイヤと、装置の上部レイヤとをインタフェースし、装置と通信している複数の装置のうちの少なくとも２つの装置に関連する情報を、下部レイヤと上部レイヤとの間で送信されるべき複数のメッセージのうちの１つのメッセージにグループ化し、この装置と、複数の装置のうちの１または複数の装置との間の接続を設定することに関連する複数のメッセージのうちの１または複数のメッセージ内に、１または複数の接続識別子を含める、ように構成される。
【図面の簡単な説明】
【００１１】
本開示の上述した特徴が、より詳細に理解される方式で、簡潔に要約された上記具体的な記載が、態様に対する参照によってなされている。そして、それらの幾つかは、添付図面で例示されている。しかしながら、この記載は、その他の等しく有効な態様に対しても適合するので、添付図面は、本開示のある典型的な態様のみを示していることや、この範囲を限定するものとしては考慮されないことが注目されるべきである。
【図１】図１は、本開示のある態様にしたがう多元接続無線通信システムの例を例示する。
【図２】図２は、本開示の態様にしたがうアクセス・ポイントおよびユーザ端末の例のブロック図を例示する。
【図３】図３は、本開示のある態様にしたがう無線デバイスの例のブロック図を例示する。
【図４】図４は、本開示のある態様にしたがうセル・サイト・モデム・アプリケーション・メッセージ・インタフェース（ＣＳＭ  ＡＰＩ）の例を例示する。
【図５】図５は、本開示のある態様にしたがう、セル初期化に関連するＣＳＭ  ＡＰＩ動作シナリオの例を例示する。
【図６】図６は、本開示のある態様にしたがう、ダウンリンク・データ・フローに関連するＣＳＭ  ＡＰＩ動作シナリオの例を例示する。
【図７】図７は、本開示のある態様にしたがう、再送信の無いアップリンク・データ・フローに関連するＣＳＭ  ＡＰＩ動作シナリオの例を例示する。
【図８】図８は、本開示のある態様にしたがう、再送信の有るアップリンク・データ・フローに関連するＣＳＭ  ＡＰＩ動作シナリオの例を例示する。
【図９】図９は、本開示のある態様にしたがってセル・サイトにおいて実行されうるブロックの例を概念的に例示する機能ブロック図である。
【発明を実施するための形態】
【００１２】
本開示のさまざまな態様は、添付図面を参照して以下により十分に記載される。しかしながら、本開示は、異なる多くの形態で具体化され、本開示を通じて示されたどのような具体的な構成または機能にも限定されるとは解釈されるべきではない。むしろ、これらの態様は、本開示が十分で完全であり、本開示の範囲を当業者に十分に伝達できるように提供される。本明細書における教示に基づいて、当業者は、本開示の範囲は、独立して実施されようが、あるいは、本開示の任意の他の態様と組み合わされようが、本明細書で示された開示の態様をカバーすることが意図されていることを認識すべきである。例えば、本明細書に記載された任意の数の態様を用いて装置が実施され、方法が実現されうる。さらに、本開示の範囲は、別の構成、機能、または、本明細書に記載された開示のさまざまな態様またはそれ以外の態様が追加された構成および機能を用いて実現される装置または方法をカバーすることが意図されている。本明細書で示された開示のあらゆる態様は、特許請求の範囲の１または複数の要素によって具体化されうる。
【００１３】
「典型的である」という単語は「例、事例、あるいは実例として役立つ」ことを意味するために本明細書で使用される。本明細書において「典型的」と記載されるいかなる態様も、他の態様よりも好適であるとか、有利であると必ずしも解釈される必要はない。
【００１４】
本明細書では、特定の態様が記載されているが、これら態様の多くの変形および置換が、本開示の範囲内にある。好適な態様のいくつかの利点および長所が述べられているが、本開示の範囲は、特定の利点、使用、および目的に限定されることは意図されていない。むしろ、本開示の態様は、このうちのいくつかが図面における例示によって、および、以下の好適な態様の記載によって例示されている異なる無線技術、システム構成、ネットワーク、および伝送プロトコルに広く適用可能であることが意図されている。詳細な記載および図面は、限定ではない開示の単なる例示であり、本開示の範囲は、特許請求の範囲およびその均等物によって定義される。
【００１５】
（典型的な無線通信システム）  
本明細書に記載された技術は、例えば符号分割多元接続（ＣＤＭＡ）ネットワーク、時分割多元接続（ＴＤＭＡ）ネットワーク、周波数分割多元接続（ＦＤＭＡ）ネットワーク、直交周波数分割多元接続（ＯＦＤＭＡ）ネットワーク、シングル・キャリアＦＤＭＡ（ＳＣ−ＦＤＭＡ）ネットワーク等のような様々な無線通信ネットワークのために使用される。「ネットワーク」および「システム」という用語は、しばしば置換可能に使用される。ＣＤＭＡネットワークは、例えば、ユニバーサル地上ラジオ・アクセス（ＵＴＲＡ）、ＣＤＭＡ２０００等のようなラジオ技術を実現しうる。ＵＴＲＡは、広帯域ＣＤＭＡ（Ｗ−ＣＤＭＡ）および低チップ・レート（ＬＣＲ）を含む。ＣＤＭＡ２０００は、ＩＳ−２０００規格、ＩＳ−９５規格、およびＩＳ−８５６規格をカバーする。ＴＤＭＡネットワークは、例えばグローバル移動体通信システム（ＧＳＭ（登録商標））のようなラジオ技術を実現しうる。ＯＦＤＭＡネットワークは、例えば、イボルブドＵＴＲＡ（Ｅ−ＵＴＲＡ）、ＩＥＥＥ  ８０２．１１、ＩＥＥＥ  ８０２．１６、ＩＥＥＥ  ８０２．２０、フラッシュ−ＯＦＤＭ（登録商標）等のようなラジオ技術を実現しうる。ＵＴＲＡ、Ｅ−ＵＴＲＡ、およびＧＳＭは、ユニバーサル・モバイル・テレコミュニケーション・システム（ＵＭＴＳ）の一部である。ロング・ターム・イボリューション（ＬＴＥ）は、Ｅ−ＵＴＲＡを使用するＵＭＴＳの最新のリリースである。ＵＴＲＡ、Ｅ−ＵＴＲＡ、ＧＳＭ、ＵＭＴＳ、およびＬＴＥは、「第３世代パートナシップ計画」（３ＧＰＰ）と命名された団体からの文書に記載されている。ＣＤＭＡ２０００は、「第３世代パートナシップ計画２」（３ＧＰＰ２）と命名された団体からの文書に記載されている。ＣＤＭＡ２０００は、「第３世代パートナシップ計画２」（３ＧＰＰ２）と命名された団体からの文書に記載されている。これらさまざまなラジオ技術および規格は、当該技術分野において知られている。明確化のために、これら技術のある態様は、以下において、ＬＴＥに関して記載されており、ＬＴＥ用語が以下の説明の多くで使用される。
【００１６】
アクセス・ポイント（“ＡＰ”）は、ノードＢ、ラジオ・ネットワーク・コントローラ（“ＲＮＣ”）、ｅノードＢ（“ｅＮＢ”）、基地局コントローラ（“ＢＳＣ”）、基地トランシーバ局（“ＢＴＳ”）、基地局（“ＢＳ”）、トランシーバ機能（“ＴＦ”）、ラジオ・ルータ、ラジオ・トランシーバ、基本サービス・セット（“ＢＳＳ”）、拡張サービス・セット（“ＥＳＳ”）、ラジオ基地局（“ＲＢＳ”）、または、その他いくつかの用語として知られているか、備えているか、または実現されうる。
【００１７】
例えば、アクセス端末（“ＡＴ”）は、アクセス端末、加入者局、加入者ユニット、移動局、遠隔局、遠隔端末、ユーザ端末、ユーザ・エージェント、ユーザ・デバイス、ユーザ機器（“ＵＥ”）、ユーザ局、またはその他いくつかの用語として知られているか、または、実現されうるか、または、備えうる。いくつかの実施において、アクセス端末は、セルラ電話、コードレス電話、セッション開始プロトコル（“ＳＩＰ”）電話、無線ローカル・ループ（“ＷＬＬ”）局、携帯情報端末（“ＰＤＡ”）、無線接続機能を有するハンドヘルド・デバイス、局（“ＳＴＡ”）、あるいは無線モデムに接続されたその他いくつかの適切な処理デバイスを備えうる。したがって、本明細書で教示された１または複数の態様は、電話（例えば、セルラ電話またはスマート・フォン）、コンピュータ（例えば、ラップトップ）、ポータブル通信デバイス、ポータブル・コンピューティング・デバイス（例えば、情報携帯端末）、エンタテイメント・デバイス（例えば、音楽またはビデオ・デバイス、または衛星ラジオ）、全地球測位システム・デバイス、あるいは無線媒体または有線媒体によって通信するように構成されたその他任意の適切なデバイスに組み入れられうる。いくつかの態様では、ノードは無線ノードである。このような無線ノードは、例えば、有線または無線による通信リンクによる（例えば、インターネットまたはセルラ・ネットワークのような広域ネットワークのような）ネットワークへの、または、ネットワークのための接続を提供しうる。
【００１８】
図１に示すように、１つの態様にしたがった多元接続無線通信システムが例示される。アクセス・ポイント１００（ＡＰ）は、１つのグループはアンテナ１０４，１０６を含み、別のグループはアンテナ１０８，１１０を含み、さらに別のグループはアンテナ１１２，１１４を含む複数のアンテナ・グループを含みうる。図１では、おのおののアンテナ・グループについて２本のアンテナしか示されていない。しかしながら、おのおののアンテナ・グループについて、２本より多いまたは少ないアンテナが利用されうる。アクセス端末１１６（ＡＴ）はアンテナ１１２，１１４と通信している。ここで、アンテナ１１２，１１４は、順方向リンク１２０でアクセス端末１１６へ情報を送信し、逆方向リンク１１８でアクセス端末１１６から情報を受信する。アクセス端末１２２（ＡＴ）はアンテナ１０６，１０８と通信している。ここで、アンテナ１０６，１０８は、順方向リンク１２６でアクセス端末１２２へ情報を送信し、逆方向リンク１２４でアクセス端末１２２から情報を受信する。ＦＤＤシステムでは、通信リンク１１８，１２０，１２４，１２６は、通信のために、異なる周波数を使用しうる。例えば、順方向リンク１２０は、逆方向リンク１１８によって使用されるものとは異なる周波数を使用しうる。
【００１９】
アンテナの各グループ、および／または、これらが通信するように設計された領域は、しばしば、アクセス・ポイントのセクタと称される。本開示の１つの態様では、おのおののアンテナ・グループは、アクセス・ポイント１００によってカバーされる領域のセクタ内のアクセス端末へ通信するように設計される。
【００２０】
順方向リンク１２０，１２６による通信では、アクセス・ポイント１００の送信アンテナは、別のアクセス端末１１６，１２４のための順方向リンクの信号対雑音比を改善するために、ビームフォーミングを利用しうる。さらに、有効範囲領域にわたってランダムに散在するアクセス端末へ送信するためにビームフォーミングを用いるアクセス・ポイントは、全てのアクセス端末へ単一のアンテナによって送信するアクセス・ポイントよりも、近隣のセル内のアクセス端末に対して少ない干渉しかもたらさない。
【００２１】
図２は、複数入力複数出力（ＭＩＭＯ）システム２００における（アクセス・ポイントとしても知られている）送信機システム２１０および（アクセス端末としても知られている）受信機システム２５０の態様のブロック図である。送信機システム２１０では、多くのデータ・ストリームのトラフィック・データが、データ・ソース２１２から送信（ＴＸ）データ・プロセッサ２１４に提供される。
【００２２】
本開示の１つの態様では、データ・ストリームはおのおのの、それぞれの送信アンテナを介して送信されうる。ＴＸデータ・プロセッサ２１４は、おのおののデータ・ストリームのトラフィック・データをフォーマットし、このデータ・ストリームのために選択された特定の符号化スキームに基づいて符号化し、インタリーブして、符号化されたデータを提供する。
【００２３】
おのおののデータ・ストリームの符号化されたデータは、ＯＦＤＭ技術を用いてパイロット・データと多重化されうる。パイロット・データは一般に、既知の手法で処理される既知のデータ・パターンであり、チャネル応答を推定するために受信機システムにおいて使用されうる。おのおののデータ・ストリームについて多重化されたパイロットおよび符号化されたデータは、データ・ストリームのために選択された特定の変調スキーム（例えば、ＢＰＳＫ、ＱＰＳＫ、Ｍ−ＰＳＫ、またはＭ−ＱＡＭ等）に基づいて変調（例えば、シンボル・マップ）され、変調シンボルが提供される。おのおののデータ・ストリームのデータ・レート、符号化、および変調は、プロセッサ２３０によって実行される命令群によって決定されうる。
【００２４】
すべてのデータ・ストリームの変調シンボルは、（例えば、ＯＦＤＭのために）変調シンボルをさらに処理するＴＸ  ＭＩＭＯプロセッサ２２０に提供される。ＴＸ  ＭＩＭＯプロセッサ２２０はその後、ＮＴ個の変調シンボル・ストリームを、ＮＴ個の送信機（ＴＭＴＲ）２２２ａ乃至２２２ｔへ提供する。本開示のある態様では、ＴＸ  ＭＩＭＯプロセッサ２２０は、データ・ストリームのシンボル、および、そのシンボルが送信されるアンテナへ、ビームフォーミング重みを適用する。
【００２５】
おのおのの送信機２２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。送信機２２２ａ乃至２２２ｔからのＮＴ個の変調信号は、その後、ＮＴ個のアンテナ２２４ａ乃至２２４ｔからそれぞれ送信される。
【００２６】
受信機システム２５０では、送信された変調信号がＮＲ個のアンテナ２５２ａ乃至２５２ｒによって受信され、おのおののアンテナ２５２からの受信信号が、それぞれの受信機（ＲＣＶＲ）２５４ａ乃至２５４ｒへ提供されうる。受信機２５４はおのおの、それぞれの受信信号を調整（例えば、フィルタ、増幅、および、ダウンコンバート）し、調整された信号をデジタル化して、サンプルを得る。さらに、これらサンプルを処理して、対応する「受信」シンボル・ストリームを提供する。
【００２７】
ＲＸデータ・プロセッサ２６０は、その後、ＮＲ個の受信機２５４からＮＲ個のシンボル・ストリームを受信し、受信されたこれらシンボル・ストリームを、特定の受信処理技術に基づいて処理して、ＮＴ個の「検出された」シンボル・ストリームを提供する。ＲＸデータ・プロセッサ２６０は、その後、検出されたおのおののシンボル・ストリームを復調し、デインタリーブし、復号して、このデータ・ストリームのためのトラフィック・データを復元する。ＲＸデータ・プロセッサ２６０による処理は、送信機システム２１０におけるＴＸ  ＭＩＭＯプロセッサ２２０およびＴＸデータ・プロセッサ２１４によって実行されるものと相補的である。
【００２８】
プロセッサ２７０は、どのプリコーディング行列を利用するのかを定期的に決定する。さらに、プロセッサ２７０は、行列インデクス部およびランク値部を備えた逆方向リンク・メッセージを規定する。これら逆方向リンク・メッセージは、通信リンクおよび／または受信データ・ストリームに関するさまざまなタイプの情報を備えうる。逆方向リンク・メッセージはその後、多くのデータ・ストリームのトラフィック・データをデータ・ソース２３６から受け取るＴＸデータ・プロセッサ２３８によって処理され、変調器２８０によって変調され、送信機２５４ａ乃至２５４ｒによって調整され、基地局２１０へ送り戻される。
【００２９】
送信機システム２１０では、受信機システム２５０からの変調信号が、アンテナ２２４によって受信され、受信機２２２によって調整され、復調器２４０によって復調され、ＲＸデータ・プロセッサ２４２によって処理されて、受信機システム２５０によって送信された逆方向リンク・メッセージが抽出される。さらに、プロセッサ２３０は、ビームフォーミング重みを決定するためにどのプリコーディング行列を使用するかを決定するために、この抽出されたメッセージを処理する。
【００３０】
図３は、図１の無線通信システム内で適用されうる無線デバイス３０２内で利用されうるさまざまな構成要素を例示する。無線デバイス３０２は、本明細書で説明されるさまざまな方法を実施するために構成され得るデバイスの例である。無線デバイス３０２は、図１からのアクセス・ポイント１００でありうるか、または、アクセス端末１１６、１２２のうちの何れかでありうる。
【００３１】
無線デバイス３０２は、無線デバイス３０２の動作を制御するプロセッサ３０４を含みうる。このプロセッサ３０４は、中央制御装置（ＣＰＵ）とも称されうる。読取専用メモリ（ＲＯＭ）とランダム・アクセス・メモリ（ＲＡＭ）との両方を含みうるメモリ３０６が、プロセッサ３０４に命令およびデータを提供する。メモリ３０６の一部は、不揮発性ランダム・アクセス・メモリ（ＮＶＲＡＭ）をも含みうる。プロセッサ３０４は、通常、メモリ３０６に格納されたプログラム命令に基づいて、論理演算および算術演算を実行する。本明細書で説明される方法を実施するために、メモリ３０６内の命令が実行可能とされうる。
【００３２】
無線デバイス３０２は、無線デバイス３０２と遠隔位置との間でのデータの送信および受信を可能にする送信機３１０および受信機３１２を含むことができるハウジング３０８をも含みうる。送信機３１０および受信機３１２は、トランシーバ３１４に結合されうる。単一あるいは複数の送信アンテナ３１６が、ハウジング３０８に取り付けられ、トランシーバ３１４に電気的に接続されうる。無線デバイス３０２はまた、（図示しない）複数の送信機、複数の受信機、および複数のトランシーバを含みうる。
【００３３】
無線デバイス３０２は、トランシーバ３１４によって受信された信号を検出し、そのレベルを定量化する目的で使用される信号検出器３１８をも含むことができる。信号検出器３１８は、合計エネルギ、シンボル毎のサブキャリア毎のエネルギ、電力スペクトル密度、およびその他の信号のような信号を検出しうる。無線デバイス３０２は、信号を処理する際に使用されるデジタル信号プロセッサ（ＤＳＰ）３２０をも含みうる。
【００３４】
無線デバイス３０２のさまざまな構成要素を、データ・バスに加えて電力バス、制御信号バス、およびステータス信号バスを含むことができるバス・システム３２２によってともに結合することができる。
【００３５】
本開示の態様では、論理無線通信チャネルが、制御チャネルおよびトラフィック・チャネルに分類されうる。論理制御チャネルは、システム制御情報をブロードキャストするためのダウンリンク（ＤＬ）チャネルであるブロードキャスト制御チャネル（ＢＣＣＨ）を備えうる。ページング制御チャネル（ＰＣＣＨ）は、ページング情報を転送するＤＬ論理制御チャネルである。マルチキャスト制御チャネル（ＭＣＣＨ）は、１またはいくつかのマルチキャスト・トラフィック・チャネル（ＭＴＣＨ）のための、マルチメディア・ブロードキャストおよびマルチメディア・サービス（ＭＢＭＳ）スケジューリングと、制御情報とを送信するために使用されるポイント・トゥ・マルチポイントＤＬ論理制御チャネルである。一般に、ラジオ・リソース制御（ＲＲＣ）接続を確立した後、ＭＢＭＳを受信したユーザ端末によってのみＭＣＣＨが使用されうる。専用制御チャネル（ＤＣＣＨ）は、専用制御情報を送信するポイント・トゥ・ポイント双方向論理制御チャネルであり、ＲＲＣ接続を有するユーザ端末によって使用される。論理トラフィック・チャネルは、ユーザ情報の転送のために、１つのユーザ端末に特化されたポイント・トゥ・ポイント双方向チャネルである専用トラフィック・チャネル（ＤＴＣＨ）を備えうる。さらに、論理トラフィック・チャネルは、トラフィック・データを送信するポイント・トゥ・マルチポイントＤＬチャネルであるマルチキャスト・トラフィック・チャネル（ＭＴＣＨ）を備えうる。
【００３６】
伝送チャネルは、ＤＬチャネルとＵＬチャネルとに分類される。ＤＬ伝送チャネルは、ブロードキャスト・チャネル（ＢＣＨ）、ダウンリンク共有データ・チャネル（ＤＬ−ＳＤＣＨ）、およびページング・チャネル（ＰＣＨ）を備えうる。ＰＣＨは、ユーザ端末における節電をサポートするために利用され（すなわち、不連続受信（ＤＲＸ）サイクルが、ネットワークによってユーザ端末へ示されうる）、セル全体にわたってブロードキャストされ、他の制御／トラフィック・チャネルのために使用されうる物理レイヤ（ＰＨＹ）リソースにマップされうる。ＵＬ伝送チャネルは、ランダム・アクセス・チャネル（ＲＡＣＨ）、要求チャネル（ＲＥＱＣＨ）、アップリンク共有データ・チャネル（ＵＬ−ＳＤＣＨ）、および複数のＰＨＹチャネルを備えうる。
【００３７】
ＰＨＹチャネルは、ＤＬチャネルおよびＵＬチャネルのセットを備えうる。ＤＬ  ＰＨＹチャネルは以下を備えうる。共通パイロット・チャネル（ＣＰＩＣＨ）、同期チャネル（ＳＣＨ）、共通制御チャネル（ＣＣＣＨ）、共有ＤＬ制御チャネル（ＳＤＣＣＨ）、マルチキャスト制御チャネル（ＭＣＣＨ）、共有ＵＬ割当チャネル（ＳＵＡＣＨ）、アクノレッジメント・チャネル（ＡＣＫＣＨ）、ＤＬ物理共有チャネル（ＤＬ−ＰＳＤＣＨ）、ＵＬ電力制御チャネル（ＵＰＣＣＨ）、ページング・インジケータ・チャネル（ＰＩＣＨ）、および負荷インジケータ・チャネル（ＬＩＣＨ）。ＵＬ  ＰＨＹチャネルは以下を備えうる。物理ランダム・アクセス・チャネル（ＰＲＡＣＨ）、チャネル品質インジケータ・チャネル（ＣＱＩＣＨ）、アクノレッジメント・チャネル（ＡＣＫＣＨ）、アンテナ・サブセット・インジケータ・チャネル（ＡＳＩＣＨ）、共有要求チャネル（ＳＲＥＱＣＨ）、ＵＬ物理共有データ・チャネル（ＵＬ−ＰＳＤＣＨ）、およびブロードバンド・パイロット・チャネル（ＢＰＩＣＨ）。
【００３８】
（ロング・ターム・イボリューション無線システムのためのセル・サイト・モデム・アプリケーション・メッセージ・インタフェース）  
本開示は、ロング・ターム・イボリューション（ＬＴＥ）リリース８（Ｒｅｌ−８）無線システムのセル・サイト・モデム（ＣＳＭ）において適用されうるインタフェース・メッセージング・プロトコル動作シナリオおよび別の動作シナリオを提案する。例えば、ＣＳＭは、図１からの基地局１００、図２からの基地局２１０、および／または、図３からの無線デバイス３０２の必須の部分でありうる。態様では、提案されたインタフェース・メッセージング・プロトコルは、ユーザ・データグラム・プロトコル（ＵＤＰ）／インターネット・プロトコル（ＩＰ）にしたがって、メッセージング・プロトコルとして実施され、ＬＴＥ基地局内の物理レイヤの管理をサポートしうる。
【００３９】
上部レイヤ・ソフトウェア（ＳＷ）とＣＳＭとの間のインタフェースは、「セル・サイト・モデム・アプリケーション・メッセージ・インタフェース」（ＣＳＭ  ＡＰＩ）と称されうる。ＣＳＭ  ＡＰＩは、ハードウェア／ファームウェア詳細のＬＴＥ物理レイヤからのアブストラクションのレイヤを提供し、ＣＳＭとＳＷとの間の通信を可能にし、媒体アクセス制御（ＭＡＣ）レイヤ機能および上部レイヤ機能を実現する。
【００４０】
図４は、本開示のある態様にしたがうＣＳＭ  ＡＭＩ４００の例を例示する。態様では、情報はすべて、インタフェース４０４を介して上部レイヤＳＷ４０２から下部レイヤＣＳＭ４０６へフローしうる。ＣＳＭ  ＡＰＩ４００はさらに、ＣＳＭ  ＳＷ  ＡＰＩ４０８およびＣＳＭハードウェア（ＨＷ）ＡＰＩ４１０として特徴付けられうる。図４に例示されるように、ＣＳＭ  ＳＷ  ＡＰＩ４０８は、ＣＳＭ  ＳＷ４１２とのインタフェースを備え、ＣＳＭ  ＨＷ  ＡＰＩ４１０は、ＣＳＭ  ＨＷ４１４とのインタフェースを備えうる。ＣＳＭ  ＡＰＩ４００は、ＬＴＥ  Ｒｅｌ−８無線システムの周波数分割デュプレクス（ＦＤＤ）モードと時分割デュプレクス（ＴＤＤ）モードとの両方をサポートしうる。
【００４１】
本開示において提案されたＣＳＭ  ＡＰＩは、ＬＴＥセル・サイト（基地局）の下部レイヤ（例えば、レイヤ１（Ｌ１））と上部レイヤ（例えば、レイヤ２（Ｌ２））との間に機能を分配しうる。ＣＳＭ  ＡＰＩは、各インタフェース側における機能の重複を最小化または低減するように実施されうる。ＣＳＭ  ＡＰＩは、ＬＴＥ  Ｒｅｌ−８無線システムによってサポートされている複数のユーザ機器（ＵＥ）に関連する１つのメッセージ情報へバンドルすることによって、２つのレイヤ・エンティティ間で交換されるメッセージの数を低減しうる。さらに、ＣＳＭ  ＡＰＩは、Ｌ１とＬ２との間で交換されるメッセージの数を低減できるように実施されうる。これは、メッセージ内の情報が、メッセージが最後に送信されたときから変わっていない場合、メッセージを再送信するのをスキップすることによって達成されうる。
【００４２】
本開示のある態様は、「列挙」タイプおよびレンジ・チェックによって、不法な入力を除去することによって、エラー・プルーフＡＰＩ属性を設計することをサポートする。態様では、これら属性は、共通の機能に基づいてグループ化されうる。
【００４３】
図４に例示されるように、メッセージ・ベースの分散型アーキテクチャが、セル・サイトにおいて展開されうる。Ｌ１  ＳＷ４１２、Ｌ１  ＨＷ４１４、および上位レイヤＳＷ  ４０２はすべて、ＩＰベースのメッセージング・プロトコルによって通信しうる。ＣＳＭ  ＡＰＩ４００は、インタフェースを通過する情報の量を最小化しうる。態様では、ＣＳＭ  ＡＰＩ４００は、ソース・エンティティから宛先エンティティへ情報を転送するための最短の通信経路を選択することができうる。
【００４４】
態様では、提案されたＣＳＭ  ＡＰＩは、セル・サイトにおいて格納されるＵＥデータベース内のＵＥエントリ数を最小化しうる。これは、接続識別子の値の小さな範囲を導入することによって、および、ＣＳＭ  ＡＰＩの同じメッセージに属するラジオ・ネットワーク・テンポラリ識別子（ＲＮＴＩ）と接続識別子との間の１対１のマッピングを確立することによって、達成されうる。典型的な場合では、ＲＮＴＩは、１６ビットを備え、ＵＥデータベースのサイズは、およそ１Ｋビットでありうる。
【００４５】
態様では、提案されたＣＳＭ  ＡＰＩは、ｅＮＢ毎に１つのセルのみならず、ｅＮＢ毎に複数のセルをもサポートしうる。態様では、ＣＳＭ  ＡＰＩは、同期されたｅＮＢと、同期されていないｅＮＢとをサポートしうる。さらに、提案されたＣＳＭ  ＡＰＩは、１または複数のシステム・パラメータと、１または複数のセル・レベル・パラメータとを設定するためのインタフェースを提供しうる。ここで、設定されたシステム・パラメータおよびセル・レベル・パラメータは、ダウンリンク（ＤＬ）信号、ＤＬ共通チャネル、アップリンク（ＵＬ）信号、またはＵＬ制御チャネルのうちの少なくとも１つに関連しうる。
【００４６】
態様では、ＣＳＭ  ＡＰＩは、最適化されたＵＬ  ＨＡＲＱ（ハイブリッド自動反復要求）手順を実行するためのみならず、最適化されたＤＬ  ＨＡＲＱ手順を実行するためのインタフェースを提供しうる。例えば、物理ダウンリンク共有チャネル・コマンド（ＰＤＳＣＨ＿ＣＭＤ）は、新たな送信と再送信との両方のために、インタフェースを介して送信されうる。なぜなら、ＰＤＳＣＨは、非同期ＨＡＲＱを利用しうるからである。ＰＤＳＣＨ＿ＣＭＤは、ＰＤＳＣＨでオーバ・ザ・エアによって伝送ブロックを送信するためにＬ１によって必要とされうるリソース情報とともに、伝送ブリック記述を伝送しうる。ＰＤＳＣＨデータは、新たな送信の間、一度のみ、Ｌ２からＬ１へ移動しうる。再送信の場合、同じデータが再使用されうる。
【００４７】
物理アップリンク共有チャネル・コマンド（ＰＵＳＣＨ＿ＣＭＤ）が、すべての新たな送信のために、インタフェースを介して送信されうる。ＰＵＳＣＨ＿ＣＭＤは、ＰＵＳＣＨでオーバ・ザ・エアによって送信された伝送ブロックを復号するためにＬ１によって必要とされうるリソース情報とともに、変調符号化スキーム（ＭＣＳ）情報を伝送しうる。ＰＵＳＣＨに関して同期されたＨＡＲＱによって、パラメータ変更がない場合には、Ｌ２は、再送信のためにＰＵＳＣＨ＿ＣＭＤを送信することを要求されない。一方、Ｌ１は、自動再送信処理を内部的に取り扱いうる。さらに、巡回冗長検査（ＣＲＣ）が合格した場合に限り、ＰＵＳＣＨデータが、Ｌ１からＬ２へ転送されうる。
【００４８】
（ＣＳＭ  ＡＰＩメッセージ・タイプおよび動作シナリオ）  
図４に例示されている提案されたＣＳＭ  ＡＰＩは、プロビジョニング・メッセージおよびＭＡＣメッセージを備えうる。プロビジョニング・メッセージは、システム停止中に一度だけ実施されうる。これは、ｅＮＢ特有またはセル特有でありうる。ＭＡＣメッセージは、ＵＥ特有メッセージおよびＤＬ／ＵＬ  ＭＡＣメッセージに分類されうる。ＵＥ特有メッセージは、コール・セットアップおよびディアダウンによってトリガされうる。ＤＬ  ＭＡＣメッセージおよびＵＬ  ＭＡＣメッセージは、オーバヘッド・メッセージおよび制御メッセージとして使用されうる。そして、ＨＡＲＱ動作のために利用されうる。
【００４９】
プロビジョニング・メッセージ・タイプは、以下の要求（ＲＥＱ）メッセージのうちの少なくとも１つを備えうる。ＣＳＭ＿ＣＯＮＦＩＧ＿ＲＥＱ、ＣＥＬＬ＿ＣＯＮＦＩＧ＿ＲＥＱ、ＰＣＦＩＣＨ＿ＣＯＮＦＩＧ＿ＲＥＱ、ＰＨＩＣＨ＿ＣＯＮＦＩＧ＿ＲＥＱ、ＰＵＣＣＨ＿ＣＯＮＦＩＧ＿ＲＥＱ、ＰＲＡＣＨ＿ＣＯＮＦＩＧ＿ＲＥＱ、ＳＲＳ＿ＣＯＮＦＩＧ＿ＲＥＱ、ＣＳＭ＿ＴＵＮＥＡＢＬＥ＿ＣＯＮＦＩＧ＿ＲＥＱ、ＣＥＬＬ＿ＥＮＡＢＬＥ＿ＲＥＱ、またはＣＳＭ＿ＴＥＲＭＩＮＡＴＥ＿ＲＥＱ。ＣＳＭ＿ＣＯＮＦＩＧ＿ＲＥＱメッセージは、ｅＮＢシステム・パラメータを設定するための要求メッセージを表しうる。ＣＥＬＬ＿ＣＯＮＦＩＧ＿ＲＥＱメッセージは、ＤＬ共通基準信号（ＲＳ）、一次同期信号（ＳＳＳ）、および二次同期信号（ＰＳＳ）と同様、セル・パラメータを設定するために使用されうる。ＰＣＦＩＣＨ＿ＣＯＮＦＩＧ＿ＲＥＱメッセージは、物理制御フォーマット・インジケータ・チャネル（ＰＣＦＩＣＨ）のパラメータを設定するために利用され、ＰＨＩＣＨ＿ＣＯＮＦＩＧ＿ＲＥＱメッセージは、物理ハイブリッド−ＡＲＱインジケータ・チャネル（ＰＨＩＣＨ）のパラメータを設定し、ＰＵＣＣＨ＿ＣＯＮＦＩＧ＿ＲＥＱメッセージは、物理アップリンク制御チャネル（ＰＵＣＣＨ）パラメータを設定するために使用され、ＰＲＡＣＨ＿ＣＯＮＦＩＧ＿ＲＥＱメッセージは、物理ランダム・アクセス・チャネル（ＰＲＡＣＨ）パラメータを設定しうる。
【００５０】
さらに、ＳＲＳ＿ＣＯＮＦＩＧ＿ＲＥＱメッセージは、サウンディング基準信号（ＳＲＳ）セル・パラメータを設定しうる一方、ＣＳＭ＿ＴＵＮＥＡＢＬＥ＿ＣＯＮＦＩＧ＿ＲＥＱは、内部システム・パフォーマンス・チューニングのために設計された要求メッセージを表しうる。ＣＥＬＬ＿ＥＮＡＢＬＥ＿ＲＥＱメッセージは、システム時間を設定し、かつｅＮＢ動作を可能にするために利用され、ＣＳＭ＿ＴＥＲＭＩＮＡＴＥ＿ＲＥＱメッセージは、電力サイクルの代わりに、システムのスムースな停止を要求しうる。
【００５１】
ＵＥ特有ＭＡＣメッセージ・タイプは、ＡＤＤ＿ＵＥ＿ＲＥＱメッセージ、ＣＦＧ＿ＵＥ＿ＲＥＱメッセージ、またはＤＥＬＥＴＥ＿ＵＥ＿ＲＥＱメッセージのうちの少なくとも１つを備えうる。ＡＤＤ＿ＵＥ＿ＲＥＱメッセージは、ＲＮＴＩフィールドと接続ＩＤフィールドとの間の１対１のマッピングを構築するために利用されうる。ＡＤＤ＿ＵＥ＿ＲＥＱは、ＵＥが、ＤＥＬＥＴＥ＿ＵＥ＿ＲＥＱコマンドによって、モニタリング・セットから取り除かれるまで、ＣＳＭによって利用されるＵＥ設定値を伝送しうる。ＡＤＤ＿ＵＥ＿ＲＥＱは、システムにおける通信のために追加されたＵＥのＬ１のためのインジケーションとして動作しうる。
【００５２】
ＡＤＤ＿ＵＥ＿ＲＥＱのＲＮＴＩフィールドは、テンポラリＲＮＴＩまたはセル・ラジオ・ネットワーク・テンポラリ識別子（ＣＲＮＴＩ）を備え、セル内のユニークなＵＥ識別子を表しうる。アクティブなＵＥについて、ＡＤＤ＿ＵＥ＿ＲＥＱの接続ＩＤフィールドが、ユニークなＣＲＮＴＩに関連付けられうる。接続ＩＤは、すべてのＭＡＣインタフェース・メッセージにおいて、アクティブなＵＥをタグ付けするために使用されうる。したがって、ＵＥがアクティブになった場合、ＡＤＤ＿ＵＥ＿ＲＥＱメッセージが、送信されるべき最初のメッセージでありうる。態様では、接続ＩＤフィールドの８（最下位）ビットのみが利用されうる。このように、接続ＩＤの値の範囲が低減され、もって、ＵＥデータベース内のエントリ数が低減されうる。
【００５３】
すべてのＵＥ特有パラメータ設定を完了させるために、ＣＦＧ＿ＵＥ＿ＲＥＱメッセージが、ＡＤＤ＿ＵＥ＿ＲＥＱと共に送信されうる。ＡＤＤ＿ＵＥ＿ＲＥＱにおけるパラメータは、通話の継続中変わらないかもしれない一方、ＣＦＧ＿ＵＥ＿ＲＥＱにおけるパラメータは、通話の継続中に更新されることを許可されうる。
【００５４】
ＤＥＬＥＴＥ＿ＵＥ＿ＲＥＱメッセージは、このメッセージのボディで伝送された接続ＩＤに関連付けられたＵＥインスタンスを削除するようにＬ１に指示しうる。このメッセージで伝送された接続ＩＤを用いてタグ付けされたあらゆる将来のメッセージは、ＡＤＤ＿ＵＥ＿ＲＥＱによって接続ＩＤが再び追加されるまで無視されうる。
【００５５】
ＤＬ  ＭＡＣメッセージ・タイプは、ＰＢＣＨ＿ＣＭＤメッセージ、ＰＣＦＩＣＨ＿ＣＭＤメッセージ、ＰＨＩＣＨ＿ＣＭＤメッセージ、ＰＤＣＣＨ＿ＣＭＤメッセージ、ＰＤＳＣＨ＿ＣＭＤメッセージ、またはＰＤＳＣＨ＿ＤＡＴＡメッセージのうちの少なくとも１つを備えうる。ＰＢＣＨ＿ＣＭＤメッセージは、マスタ情報ブロック（ＭＩＢ）情報を伝送する物理ブロードキャスト・チャネル（ＰＢＣＨ）送信を表しうる。ＰＣＦＩＣＨ＿ＣＭＤメッセージは、制御フォーマット・インジケータ（ＣＦＩ）送信を表しうる一方、ＰＨＩＣＨ＿ＣＭＤメッセージは、物理アップリンク共有チャネル（ＰＵＳＣＨ）のためのアクノレッジメント／否定的アクノレッジメント（ＡＣＫ／ＮＡＣＫ）を伝送するＰＨＩＣＨ送信を表しうる。
【００５６】
さらに、ＰＤＣＣＨ＿ＣＭＤメッセージは、すべてのダウンリンク制御情報（ＤＣＩ）フォーマットを伝送する物理ダウンリンク制御チャネル（ＰＤＣＣＨ）送信を表しうる。そして、ＰＤＳＣＨ＿ＣＭＤメッセージは、物理ダウリンク共有チャネル（ＰＤＳＣＨ）でオーバ・ザ・エアによって伝送ブロックを送信するためにＬ１によって必要とされうるリソース情報とともに、伝送ブロック記述を伝送するメッセージを表しうる。態様では、ＰＤＳＣＨ＿ＤＡＴＡメッセージは、送信されるべき伝送ブロックのコンテンツを提供するために、ＰＤＳＣＨ＿ＣＭＤメッセージが伴われうる。
【００５７】
ＵＬ  ＭＡＣメッセージ・タイプは、以下のメッセージのうちの少なくとも１を備えうる。ＰＵＳＣＨ＿ＣＭＤ、ＰＵＳＣＨ＿ＤＡＴＡ、ＰＵＳＣＨ＿ＤＥＡＳＳＩＧＮ＿ＣＭＤ、ＰＲＡＣＨ＿ＤＡＴＡ、ＵＬ＿ＡＣＫ＿ＤＡＴＡ、ＳＲ＿ＤＡＴＡ、ＵＬ＿ＣＴＲＬ＿ＤＡＴＡ、ＴＲＡＣＫ＿ＬＯＯＰ＿ＤＡＴＡ、またはＩＯＴ＿ＤＡＴＡ。ＰＵＳＣＨ＿ＣＭＤは、ＰＵＳＣＨで送信された伝送ブロックを復号するためにＬ１によって要求されうるリソース情報とともにＭＣＳを伝送しうる。ＰＵＳＣＨ＿ＤＡＴＡメッセージは、ＰＵＳＣＨのために、復号された（例えば、Ｌ１のターボ・デコーダによって復号された）ヘッダ、および復号されたビット・ストリームを伝送しうる一方、ＰＵＳＣＨ＿ＤＥＡＳＳＩＧＮ＿ＣＭＤは、ＨＡＲＱ処理を終了させ、Ｌ１リソースを解放するために利用されうる。
【００５８】
さらに、ＰＲＡＣＨ＿ＤＡＴＡメッセージは、検出されたプリアンブルおよび初期タイミング・オフセットを伝送し、ＵＬ＿ＡＣＫ＿ＤＡＴＡメッセージは、ＰＤＳＣＨ送信に関するＡＣＫ／ＮＡＫを伝送しうる一方、ＳＲ＿ＤＡＴＡメッセージは、肯定的なスケジューリング要求（ＳＲ）を伝送しうる。態様では、ＵＬ＿ＣＴＲＬ＿ＤＡＴＡメッセージは、ＣＱＩ／ＰＭＩ（チャネル品質インジケータ／プリコーディング行列情報）と、周期的ＰＵＣＣＨレポートと非周期的ＰＵＣＣＨレポートとの両方からのランク・インジケータ（ＲＩ）データを伝送しうる一方、ＴＲＡＣＫ＿ＬＯＯＰ＿ＤＡＴＡメッセージは、ＰＵＣＣＨ、ＰＵＳＣＨ、またはＳＲＳのうちの少なくとも１つの信号対雑音比（ＳＮＲ）、送信電力制御（ＴＰＣ）、およびドップラ情報を伝送しうる。態様では、ＩＯＴ＿ＤＡＴＡメッセージは、各リソース・ブロック（ＲＢ）、各アンテナ、および各送信スロットの「干渉対熱雑音」（ＩＯＴ）データを伝送しうる。
【００５９】
図５は、本開示のある態様にしたがう、ｅＮＢ（セル・サイト）の初期化に関連するＣＳＭ  ＡＰＩ動作シナリオ５００の例を例示する。ｅＮＢのＭＡＣホスト５０２は、ｅＮＢのＣＳＭ  ５０４にＣＳＭ＿ＣＯＮＦＩＧ＿ＲＥＱメッセージに５０８を送信することにより、システム・パラメータを設定しうる。ラジオ周波数（ＲＦ）フロントエンド５０６は、秒境界およびフレーム境界を備えた周期的なタイム・スタンプ更新版（例えば、図５に例示されるような、秒インジケータおよびフレーム・インジケータを備えたベースバンドＩサンプルおよびＱサンプル５００）をＣＳＭ５０４へ送信しうる。これに続いて、時間インスタント５１２では、ＭＡＣホスト５０２が、前述したさまざまな設定コマンド５１４−５２４をＣＳＭ５０４へ送信することによって、セル・パラメータおよびチャネル・パラメータを設定しうる。
【００６０】
時間インスタント５２６では、ＭＡＣホスト５０２は、システム時間を設定し、ｅＮＢ動作（またはセル動作）を可能にしうる。ＭＡＣホスト５０２は、無効な秒カウンタ値を持つＣＳＭラジオ・フレーム・タイミング・メッセージ５２６を受信した後、ネットワーク時間プロトコル（ＮＴＰ）サーバから、リアルタイムの秒カウンタ値を取得しうる。その後、ＭＡＣホスト５０２は、有効なシステム時間を持つＣＥＬＬ＿ＥＮＡＢＬＥ＿ＲＥＱメッセージ５３０を、ＣＳＭ５０４へ送信しうる。２秒間待った後、図５に例示されるように、ＣＳＭ５０４は、有効な秒カウンタ値を持つＣＳＭラジオ・フレーム・タイミング・メッセージ５３２を送信しうる。５３４では、システム時間が確立され、システム（ｅＮＢ）が動作可能になりうる。
【００６１】
これに続いて、図５に例示されるように、ＭＡＣホスト５０２は、ＤＬ  ＭＡＣコマンド５３６−５４２を送信することによって、ＣＳＭ５０４に対して、ＤＬシステム情報を送信するように指示しうる。ＰＢＣＨ＿ＣＭＤメッセージ５３６を送信することによって、マスタ情報ブロック（ＭＩＢ）情報が伝送されうる一方、ＰＣＦＩＣＨ＿ＣＭＤメッセージ５３８、ＰＤＣＣＨ＿ＣＭＤメッセージ５４０、およびＰＤＳＣＨ＿ＣＭＤメッセージ５４２を送信することによって、システム情報ブロック（ＳＩＢ）情報が伝送されうる。ＣＳＭ５０４は、ＭＡＣホスト５０２にＰＲＡＣＨ＿ＤＡＴＡメッセージ５４４を送信しうる。ここで、ＰＲＡＣＨ＿ＤＡＴＡは、ＵＬおよび初期タイミング・オフセットで送信された、検出されたプリアンブルを伝送しうる。ＭＡＣホスト５０２は、ＰＲＡＣＨ＿ＤＡＴＡを受信した後、ＣＳＭ５０４に対して、通常動作を開始するように指示しうる。
【００６２】
図６は、本開示のある態様にしたがう、ｅＮＢ（セル・サイト）のＤＬデータ・フローに関連するＣＳＭ  ＡＰＩ動作シナリオ６００の例を例示する。新たなＤＬ送信の場合、パケットは、準備完了となると、ＰＤＳＣＨ＿ＤＡＴＡメッセージ６０６内で、ＭＡＣホスト６０２からＣＳＭ６０４へダイレクトに送信されうる。時間インスタント６０８では、Ｌ２が、サブフレームｎについてＤＬスケジューラを実行しうる。この後、ＭＡＣホスト６０２は、サブフレームｎに関連付けられたＰＤＣＣＨ＿ＣＭＤメッセージを送信しうる。ＰＤＣＣＨ＿ＣＭＤメッセージは、ＤＬ許可を伝送しうるが、これらは、ＣＳＭ６０４によって分析されないことがありうる。その後、ＭＡＣホスト６０２は、サブフレームｎに関連付けられたＰＤＳＣＨ＿ＣＭＤメッセージ６１２をＣＳＭ６０４へ送信しうる。ＰＤＳＣＨ＿ＣＭＤメッセージ６１２は、ＭＡＣパケット・データ・ユニット（ＰＤＵ）を記述するタイプ長さ値（ＴＬＶ）と、符号化および変調のためにＬ１によって使用されるべき許可情報を伝送しうる。
【００６３】
時間インスタント６１４では、サブフレームｎにおいて、Ｌ１（すなわち、ＣＳＭ  ＨＷ）は、ＰＤＳＣＨでデータを送信しうる。６１６では、Ｌ１が、ＰＵＣＣＨ／ＰＵＳＣＨで送信されたＡＣＫ／ＮＡＣＫを復号しうる。復号後、サブフレームｎ＋４において、ＣＳＭ６０４は、ＵＬ＿ＡＣＫ＿ＤＡＴＡメッセージ６１８を送信しうる。これは、ＰＤＳＣＨ送信に関連するＡＣＫまたはＮＡＣＫを伝送しうる。前述した動作６０８−６１８は、新たなＤＬ送信と再送信との両方のために適用されうることが注目されるべきである。
【００６４】
図７は、本開示のある態様にしたがう、再送信コマンドの無いｅＮＢ８（セル・サイト）のＵＬデータ・フローに関連するＣＳＭ  ＡＰＩ動作シナリオ７００の例を例示する。時間インスタント７０６では、ｅＮＢのＭＡＣホスト７０２が、ＵＬスケジューラを実行しうる。そして、適切なサブフレーム番号（ＳＦＮ）／サブフレームにタグ付けされたＰＤＣＣＨ＿ＣＭＤおよびＰＵＳＣＨ＿ＣＭＤを生成しうる。その後、ＭＡＣホスト７０２は、ＳＦＮ／サブフレームｎ−４に関連付けられたＰＤＣＣＨ＿ＣＭＤメッセージ７０８を、ｅＮＢのＣＳＭ７０４へ送信しうる。ＰＤＣＣＨ＿ＣＭＤメッセージ７０８は、ＰＤＣＣＨペイロードを伝送しうる一方、ＣＳＭ７０４は、ＰＤＣＣＨペイロードのコンテンツを分析しない場合がありうる。その後、ＭＡＣホスト７０２は、ＳＦＮ／サブフレームｎに関連付けられたＰＵＳＣＨ＿ＣＭＤメッセージ７１０を、ＣＳＭ７０４へ送信しうる。ＰＵＳＣＨ＿ＣＭＤメッセージ７１０は、ＵＬリソース割当およびＭＣＳに関する情報を伝送しうる。この情報は、ＰＵＳＣＨで送信された伝送ブロックを復号するために、Ｌ１によって必要とされうる。
【００６５】
７１２では、ＣＳＭ７０４が、ＳＦＮ／サブフレームｎから始まって、ＰＵＳＣＨデータを復号することを試みうる。７１４では、ＳＦＮ／サブフレームｎのペイロードおよび復号された（例えば、ＣＳＭ  ＨＭのターボ・デコーダによって復号された）ヘッダが、ＰＵＳＣＨ＿ＤＡＴＡメッセージ７１６で、ＣＳＭ  ＨＭからＭＡＣホスト７０４へダイレクトに送信されうる。ＰＵＳＣＨ＿ＤＡＴＡメッセージ７１６はさらに、ＣＲＣがＣＳＭ  ＨＭにおいて合格したか失格したかを示すインジケーションを伝送しうる。ＳＦＮ／サブフレームｎ＋４では、ＭＡＣホスト７０２が、ＰＵＳＣＨのためのＡＣＫ／ＮＡＣＫを伝送するＰＨＩＣＨ＿ＣＭＤメッセージ７１８を、ＣＳＭ７０４に送信しうる。態様では、このコマンドは、ＣＳＭ７０４によって分析される必要がない場合がありうる。予め定められた最大数の再送信に達する前にＣＲＣが合格した場合、ＭＡＣホスト７０２は、動作７０８−７１８によって定義されるＨＡＲＱ処理を終了させ、Ｌ１リソースを解放するために、ＳＦＮ／サブフレームｎ＋８のＰＵＳＣＨ＿ＤＥＡＳＳＩＧＮ＿ＣＭＤメッセージ７２０を送信しうる。
【００６６】
図８は、本開示のある態様にしたがう、再送信コマンドの有るｅＮＢ（セル・サイト）のＵＬデータ・フローに関連するＣＳＭ  ＡＰＩ動作シナリオ８００の例を例示する。８０６では、ｅＮＢのＭＡＣホスト８０２が、ＵＬスケジューラを実行しうる。そして、適切なＳＦＮ／サブフレームにタグ付けされたＰＤＣＣＨ＿ＣＭＤおよびＰＵＳＣＨ＿ＣＭＤを生成しうる。その後、ＭＡＣホスト８０２は、ＳＦＮ／サブフレームｎ−４に関連付けられたＰＤＣＣＨ＿ＣＭＤメッセージ８０８を、ＣＳＭ８０４へ送信しうる。ＰＤＣＣＨ＿ＣＭＤメッセージ８０８はＰＤＣＣＨペイロード伝送しうる一方、ＣＳＭ８０４は、ＰＤＣＣＨペイロードのコンテンツを分析しない場合がありうる。その後、ＭＡＣホスト８０２は、ＳＦＮ／サブフレームｎに関連付けられたＰＵＳＣＨ＿ＣＭＤメッセージ８１０を、ＣＳＭ８０４に送信しうる。ＰＵＳＣＨ＿ＣＭＤメッセージ８１０は、ＵＬリソース割当およびＭＣＳに関する情報を伝送しうる。これは、ＰＵＳＣＨで送信された伝送ブロックを復号するためにＬ１によって必要とされうる。
【００６７】
８１２では、ＣＳＭ８０４が、ＳＦＮ／サブフレームｎから始まって、ＰＵＳＣＨデータを復調することを試みうる。８１４では、ＳＦＮ／サブフレームｎのペイロードおよび復号された（例えば、ＣＳＭ  ＨＭのターボ・デコーダによって復号された）ヘッダが、ＰＵＳＣＨ＿ＤＡＴＡメッセージ８１６で、ＣＳＭ  ＨＭからＭＡＣホスト８０４へダイレクトに送信されうる。ＰＵＳＣＨ＿ＤＡＴＡメッセージ８１６はさらに、ＣＲＣがＣＳＭ  ＨＭにおいて合格したか失格したかを示すインジケーションを伝送しうる。ＳＦＮ／サブフレームｎ＋４では、ＭＡＣホスト８０２が、ＰＵＳＣＨのためのＡＣＫ／ＮＡＣＫを伝送するＰＨＩＣＨ＿ＣＭＤメッセージ８１８を、ＣＳＭ８０４に送信しうる。態様では、このコマンドは、ＣＳＭ８０４によって解析される必要がない場合がありうる。
【００６８】
予め定義された最大数の再送信に達せず、ＨＡＲＱ早期終了が生じない間に、ＣＲＣが失格した場合、ＰＵＳＣＨ＿ＤＥＡＳＳＩＧＮ＿ＣＭＤは起動されず、Ｌ１は、以下の２つの態様のうちの１つにしたがって、再送信を継続しうる。１つの態様では、ＣＳＭ８０４は、ＰＵＳＣＨ＿ＤＥＡＳＳＩＧＮ＿ＣＭＤが受信されるまで、冗長バージョン（ＲＶ）以外の同じパラメータを用いて、同じＨＡＲＱにおける復号の試みを継続しうる。ＰＵＳＣＨ＿ＤＥＡＳＳＩＧＮ＿ＣＭＤがＣＳＭ８０４において受信されると、ＰＵＳＣＨリソースが解放されうる。別の態様では、新たなＰＵＳＣＨ＿ＣＭＤメッセージがＣＳＭ８０４において受信されると、新たなＰＵＳＣＨ＿ＣＭＤメッセージによって伝送された新たな復号パラメータが、オリジナルの復号パラメータを上書きしうる。
【００６９】
図９は、本開示のある態様にしたがって、アクセス・ポイントにおいて実行されるブロック９００の例を概念的に例示する機能ブロック図である。ブロック９００によって例示された動作は、例えば、図２からのアクセス・ポイント２１０のプロセッサ２３０において、および／または、図４からの回路４０２，４０４，４０６において実行されうる。
【００７０】
この動作は、ブロック９０２において、下部レイヤと上部レイヤとの間で複数のメッセージを交換することに基づいて、アクセス・ポイントの下部レイヤと、アクセス・ポイントの上部レイヤとをインタフェースすることによって始まりうる。ブロック９０４では、アクセス・ポイントと通信している複数のユーザ機器のうちの少なくとも２つのユーザ機器に関連する情報が、下部レイヤと上部レイヤとの間で送信されるべき複数のメッセージのうちの１つのメッセージにグループ化されうる。ブロック９０６では、アクセス・ポイントと、複数のユーザ機器のうちの１または複数との間の接続を設定することに関連する複数のメッセージのうちの１または複数のメッセージ内に、１または複数の接続識別子が含められうる。
【００７１】
態様では、接続識別子のおのおのが、複数のユーザ機器のうちのユニークな装置（ユーザ機器）の接続に関連付けられうる。態様では、インタフェースすることは、アクセス・ポイントと、複数のユーザ機器のうちの少なくとも１つとの間の通信に応じて、下部レイヤと上部レイヤとの間で、複数のメッセージのうちの１または複数のアクノレッジメント／否定的アクノレッジメント（ＡＣＫ／ＮＡＣＫ）メッセージを転送することを備えうる。
【００７２】
１つの構成では、無線通信のための装置２１０は、装置の下部レイヤと装置の上部レイヤとの間で複数のメッセージを交換することに基づいて、下部レイヤと、上部レイヤとをインタフェースする手段と、装置と通信している別の複数の装置のうちの少なくとも２つの装置に関連する情報を、下部レイヤと上部レイヤとの間で送信されるべき複数のメッセージのうちの１つのメッセージにグループ化する手段と、この装置２１０と、別の複数の装置のうちの１または複数の装置との間の接続を設定することに関連する複数のメッセージのうちの１または複数のメッセージ内に、１または複数の接続識別子を含める手段と、を含む。１つの態様では、前述の手段は、前述の手段によって詳述された機能を実行するように構成されたプロセッサ２３０でありうる。別の態様では、前述した手段は、前述した手段によって記載された機能を実行するように構成されたモジュールまたは任意の装置でありうる。
【００７３】
ＣＳＭ  ＡＰＩの提案された実施は、いくつかの利点を有する。これは、ＬＴＥ基地局モデム技術移転プロセスを促進しうる。さらに、これは、第４世代（４Ｇ）フェムト・チップセット製品へ採用されうる。提案されたＣＳＭ  ＡＰＩは、分散型メッセージング・アーキテクチャのために最適化されたソリューションを提供しうる。そして、従来式の共有メモリ／バス／割込ベースのアーキテクチャに容易に適応されうる。
【００７４】
当業者であれば、情報および信号は、さまざまな異なる技術および技法のうちの何れかを用いて表されうることを理解するであろう。例えば、前述された説明を通じて参照されうるデータ、命令群、コマンド、情報、信号、ビット、シンボル、およびチップは、電圧、電流、電磁波、磁場または磁性粒子、光学場または光学粒子、あるいはこれらの任意の組み合わせによって表現されうる。
【００７５】
当業者であればさらに、本明細書の開示に関連して記載されたさまざまな例示的な論理ブロック、モジュール、回路、およびアルゴリズム・ステップが、電子工学ハードウェア、コンピュータ・ソフトウェア、あるいはこれらの組み合わせとして実現されることを理解するであろう。ハードウェアとソフトウェアとの相互置換性を明確に説明するために、さまざまな例示的な構成要素、ブロック、モジュール、回路、およびステップが、これらの機能の観点から一般的に記載された。これら機能がハードウェアとしてまたはソフトウェアとして実現されるかは、特定の用途およびシステム全体に課せられている設計制約に依存する。当業者であれば、特定の用途のおのおのに応じて変化する方式で、前述した機能を実現しうる。しかしながら、この適用判断は、本発明の範囲からの逸脱をもたらすものと解釈されるべきではない。
【００７６】
本明細書の開示に関連して記述されたさまざまな例示的な論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または前述された機能を実現するために設計された上記何れかの組み合わせを用いて実現または実施されうる。汎用プロセッサは、マイクロ・プロセッサでありうるが、代替例では、このプロセッサは、従来のプロセッサ、コントローラ、マイクロ・コントローラ、またはステート・マシンでありうる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。
【００７７】
本明細書の開示に関連して説明された方法またはアルゴリズムのステップは、ハードウェアで直接に、プロセッサによって実行されるソフトウェア・モジュールで、またはこの２つの組合せで実施することができる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは当該技術分野で知られているその他の型式の記憶媒体に存在しうる。典型的な記憶媒体は、プロセッサがそこから情報を読み取り、および／または、そこに情報を書き込むことができるようにプロセッサに結合される。あるいは、この記憶媒体は、プロセッサに統合されうる。このプロセッサと記憶媒体とは、ＡＳＩＣ内に存在しうる。ＡＳＩＣは、ユーザ端末内に存在しうる。あるいは、プロセッサおよび記憶媒体は、ユーザ端末内のディスクリートな構成要素として存在しうる。
【００７８】
１または複数の典型的な実施形態では、記載された機能は、ハードウェア、ソフトウェア、ファームウェア、あるいはそれらの任意の組み合わせによって実現されうる。ソフトウェアで実現される場合、これら機能は、コンピュータ読取可能な媒体上に格納されるか、あるいは、コンピュータ読取可能な媒体上の１または複数の命令群またはコードとして送信されうる。コンピュータ読取可能な媒体は、コンピュータ記憶媒体と通信媒体との両方を含む。これらは、コンピュータ・プログラムのある場所から別の場所への転送を容易にする任意の媒体を含む。記憶媒体は、汎用コンピュータまたは特別目的コンピュータによってアクセスされうる任意の利用可能な媒体でありうる。限定ではなく、一例として、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶装置、あるいは、命令群またはデータ構造の形式で所望のプログラム・コード手段を伝送または格納するために使用され、かつ、汎用コンピュータまたは特別目的コンピュータ、あるいは、汎用プロセッサまたは特別目的プロセッサによってアクセスされうるその他任意の媒体を備えうる。さらに、いかなる接続も、コンピュータ読取可能な媒体として適切に称される。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるディスク（ｄｉｓｋおよびｄｉｓｃ）は、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびブルー・レイ・ディスク（ｄｉｓｃ）を含む。これらｄｉｓｃは、レーザを用いてデータを光学的に再生する。それに対して、ｄｉｓｋは、通常、データを磁気的に再生する。前述した組み合わせもまた、コンピュータ読取可能な媒体の範囲内に含まれるべきである。
【００７９】
本明細書に記載されるように、項目のリストのうちの「少なくとも１つ」と称する文言は、単数を含むこれら項目のうちの任意の組み合わせを称する。例として、「ａ、ｂ、またはｃのうちの少なくとも１つ」は、ａ、ｂ、ｃ、ａ−ｂ、ａ−ｃ、ｂ−ｃ、およびａ−ｂ−ｃをカバーすることが意図されている。
【００８０】
本開示の上記記載は、当業者をして、本開示の製造または利用を可能とするように提供される。本開示に対するさまざまな変形は、当業者に容易に明らかであって、本明細書で定義された一般原理は、本開示の精神または範囲から逸脱することなく、他のバリエーションに適用されうる。このように、本開示は、本明細書で示された例および設計に限定されることは意図されておらず、本明細書で開示された原理および新規な特徴に一致した最も広い範囲に相当するとされている。
【図１】
2013546252.tif 000003
【図２】
2013546252.tif 000004
【図３】
2013546252.tif 000005
【図４】
2013546252.tif 000006
【図５】
2013546252.tif 000007
【図６】
2013546252.tif 000008
【図７】
2013546252.tif 000009
【図８】
2013546252.tif 000010
【図９】
2013546252.tif 000011
【国際調査報告】
2013546252.tif 000012
2013546252.tif 000013
2013546252.tif 000014